(57)【特許請求の範囲】
【請求項１】
機器のパネルに取付けられた自己復帰機構と該自己復帰機構を掛止する復帰保持機構を有し、前記復帰保持機構をハートカムとフックピンからなるハートカム機構とする操作用スイッチにおいて、前記復帰保持機構のフックピンに連動して揺動自在な振子錘を設け、該振子錘が振動、衝撃を受けて前記フックピンを解除するリセット機構を設けたことを特徴とする安全装置付き操作用スイッチ。
【発明の詳細な説明】
【０００１】
【発明の属する技術分野】
本発明は、暖房器や電熱器等の耐震安全装置等で、特に電源スイッチとして使用される安全装置付き操作用スイッチ関する。
【０００２】
【従来の技術】
従来、暖房器や電熱器等の耐震安全装置は、電源スイッチの他に傾斜スイッチなどから構成される傾斜検出装置を設けていた。また、図９は従来の転倒安全装置付き暖房機器の事例であり、電源スイッチの他に転倒検知スイッチの操作部を設置面に突き当てた状態で配設している。
【０００３】
【発明が解決しようとする課題】
従来の耐震安全装置は、フォトカプラや傾斜スイッチを採用しているため、電源回路を遮断するためには検出微小電流を増幅する回路やリレーなどが必要であった。また、従来の転倒安全装置付き暖房機器にあっては、電源スイッチの他に転倒検出スイッチや検出を保持する回路が必要なため、コストが割高になるという欠点があった。
【０００４】
【課題を解決するための手段】
本発明は、自己復帰機構とその自己復帰機構を掛止する復帰保持機構を有し、前記復帰保持機構をハートカムとフックピンからなるハートカム機構とする操作用スイッチにおいて、前記復帰保持機構のフックピンに連動して揺動自在な振子錘を設け、該振子錘が振動、衝撃を受けて前記フックピンを解除するリセット機構を設けて構成する。
【０００５】
【発明の実施の形態】
本発明の安全装置付き操作用スイッチは、自己復帰機構とその自己復帰機構を掛止する復帰保持機構を有し、前記復帰保持機構をハートカムとフックピンからなるハートカム機構とする操作用スイッチに、振動や衝撃を受けて揺動する振子錘を設けるとともに、この振子錘に連動して前記復帰保持機構のフックピンを解除するリセット機構を設けて構成することにより、振動、衝撃によって電源を解除または投入する必要のある機器類、例えば転倒火災を防止するための電熱機器用電源スイッチや盗難予防警報装置の電源スイッチなどに幅広く実施することができる。
【０００６】
【実施例】
以下、本実施例について図面を参照しながら詳細に説明する。
図１は本発明の安全装置付き操作用スイッチの実施例を表す断面図であり、図２はその背面図、図３はその外観斜視図、さらに図４はその復帰保持機構とリセット機構の部分拡大図である。これらの図において、マイクロスイッチ開閉機構２と、このマイクロスイッチ開閉機構２を保持するためのハートカム１４とフックピン１３からなる復帰保持機構を内蔵したロック式押しボタンスイッチ１が装置の取付パネル１９に、ナット９によって締付け固定されている。そして、長方形の枠部７の一方に重り６を固定した振子錘５が、枠部７のもう一方に対向して形成した一対の軸部８をロック式押しボタンスイッチ１本体の外形部に形成された長溝部１６に係合した状態で前記重り６を下方に垂下している。従って、前記軸部８を中心に、振子錘５はスイッチ取付軸方向前後に自在に揺動することができ、さらに、前記ロック式押しボタンスイッチ１本体の外形部に形成された長溝部１６により、スイッチ取付軸の直交方向に対しても一定の範囲で自在に揺動することができるように構成されている。そして、先端を鉤状に形成した解除板１０が前記鉤部１１をロック式押しボタンスイッチ１の内部でフックピン１３に下方から交叉させ、もう一端のＴ形部１２を振子錘５の枠部７に形成したスリット１５に係合して安全装置付き操作用スイッチを構成している。
【０００７】
このように構成した安全装置付き操作用スイッチは、水平静止状態において、常に振子錘５が自重により垂下しているので、取付パネル１９が垂直の状態で、解除板１０の鉤部１１はフックピン１３の動きに影響することはなく、通常の電源用スイッチとして機能する。なお、図１及び図４はロック式押しボタンスイッチのロック状態を表し、図４はそのハートカム機構とフック機構の部分拡大図であり、取付けた装置が正常の状態を表している。
【０００８】
なお、本実施例の安全装置付き操作用スイッチは、頭部のアクチェータ部４と下部のスイッチブロック部３とからなる分離型押しボタンスイッチからなり、アクチェータ部４をナット９によって取付パネル１９に取付た後、予め解除板１０を組込んだスイッチブロック部３を取付パネル１９の裏側からアクチェータ部４に嵌合し、次に振子錘５をスイッチブロック部３に係合させ、同時に解除板１０を枠部７に形成したスリット１５に組合わせる。
【０００９】
図５から図８は、本発明の安全装置付き操作用スイッチの安全装置が駆動して押しボタンスイッチを自動的に切換えた状態を表している。
図５は、取付装置が前傾または振動、衝撃によって振子錘５が取付パネル１９側に傾斜した状態を表し、解除板１０の鉤部１１がフックピン１３を引上げることにより、フックピン１３がハートカム１４から外れ、ロックを自動解除するように作用するリセット機構である。図６はその部分拡大図である。
【００１０】
図７は前述の状態と反対に、取付装置が後方に傾斜または振動、衝撃によって振子錘５が取付パネル１９の反対側に傾斜した状態を表している。解除板１０の鉤部１１がフックピン１３をこじり上げるように作用するため、フックピン１３がハートカム１４から外れ、ロックを自動解除する様子を表している。
【００１１】
図８は、スイッチの取付軸に直交する方向に振子錘５が傾斜した状態を表す背面図である。ロック式押しボタンスイッチ１本体の外形部に形成された長溝部１６に、振子錘５の枠部７に対向して形成した一対の軸部８を係合しているので、傾斜の際、片方の軸部を支点にスイッチ本体に対し振子錘５が相対的に回動するように作用するため、解除板１０がフックピン１３を引上げ、前述同様にロックを自動解除する。
【００１２】
以上のように、ロック式押しボタンスイッチ１のマイクロスイッチ開閉機構２を直接的に自動解除することができるため、電源スイッチの他に傾斜検出装置や増幅回路を設ける必要が無く、また、安全装置が駆動した装置が復元されても、次に電源が投入されるまで電源スイッチの解除が維持されるため、復旧後の思わぬ事故を未然に予防することができるなど、安価で安全性の高い耐震機器を構成することができる。
また、一般的なロック式押しボタンスイッチの機構をそのまま、応用することことにより、従来のロック式押しボタンスイッチとの部品の共通化を図り、開発費の削減と、部品管理経費を削減することができる。
【００１３】
以上、ロック式押しボタンスイッチについて詳細に説明したが、ロッカースイッチ、スライドスイッチやトグルスイッチなど、その他の操作形態の復帰保持機構をハートカムとフックピンからなるハートカム機構とする操作用スイッチにも応用することが可能であり、本発明はこれらの応用展開を排除するものではない。
【００１４】
【発明の効果】
以上、詳細に説明したように、本発明によれば次のような効果を奏することができる。
（１）自己復帰機構と自己復帰機構を掛止する保持機構を有する操作用スイッチに、振動又は衝撃を受けて揺動する振子錘を設け、この振子錘に連結して前記復帰保持機構を解除するリセット機構を設けたので、本発明の安全装置付き操作用スイッチを電源スイッチとして用いることで、地震や取付装置転倒時に直接電源スイッチを解除することができるため、大きな損傷を受ける状況にあっても安全を確保することができる。
（２）自己復帰機構と自己復帰機構を掛止する保持機構を有する操作用スイッチに、振動又は衝撃を受けて揺動する振子錘を設け、この振子錘に連結して前記復帰保持機構を解除するリセット機構を設けたので、地震や取付装置転倒時に一旦電源スイッチの安全装置が一旦駆動した装置が復旧されても、電源スイッチが投入されるまで電源の遮断が維持されるため、復旧後の思わぬ事故を未然に予防することができる
（３）自己復帰機構と自己復帰機構を掛止する保持機構を有する操作用スイッチに、振動又は衝撃を受けて揺動する振子錘を設け、この振子錘に連結して前記復帰保持機構を解除するリセット機構を設けたので、電源スイッチの他に傾斜検出装置や増幅回路を設ける必要が無く、安価で安全性の高い耐震機器を構成することができる。
（４）ロック式押しボタンスイッチの復帰保持機構として、ハートカムとフックピンからなるハートカム機構として安全装置付き操作用スイッチを構成したので、従来技術の応用が可能となり、開発費の削減と部品の共通化を図ることができる。
（５）自己復帰機構と自己復帰機構を掛止する保持機構を有する操作用スイッチに、振動又は衝撃を受けて揺動する振子錘を設け、この振子錘に連結して前記復帰保持機構を解除するリセット機構を設けたので、押しボタンスイッチだけでなく、ロッカースイッチやスライドスイッチなど様々な種類の操作形態のスイッチに適用することが可能である。
【図面の簡単な説明】
【図１】  本発明の安全装置付き操作用スイッチの実施例を表す断面図である。
【図２】  本発明の安全装置付き操作用スイッチの実施例を表す背面図である。
【図３】  本発明の安全装置付き操作用スイッチの実施例を表す外観斜視図である。
【図４】  図１の復帰保持機構とリセット機構部を表す部分拡大図である。
【図５】  図１から振子錘が取付パネル側に傾斜した状態を表す断面図である。
【図６】  図５の状態の復帰保持機構とリセット機構部を表す部分拡大図である。
【図７】  図１から振子錘が取付パネル側の反対側に傾斜した状態を表す断面図である。
【図８】  図２の状態から、スイッチの取付軸に直交する方向に振子錘が傾斜した状態を表す背面図である。
【図９】  従来の転倒安全装置付き暖房機器の事例である。
【符号の説明】
１  ロック式押しボタンスイッチ
２  マイクロスイッチ開閉機構
３  スイッチブロック部
４  アクチェータ部
５  振子錘
６  重り
７  枠部
８  軸部
９  ナット
１０  解除板
１１  鉤部
１２  Ｔ型部
１３  フックピン
１４  ハートカム
１５  スリット
１６  長溝部
１９  取付パネル
【図１】
0004049441.tif 000002
【図２】
0004049441.tif 000003
【図３】
0004049441.tif 000004
【図４】
0004049441.tif 000005
【図５】
0004049441.tif 000006
【図６】
0004049441.tif 000007
【図７】
0004049441.tif 000008
【図８】
0004049441.tif 000009
【図９】
0004049441.tif 000010